(57)【要約】【課題】突き出しピンの駆動力として磁力を使い、流体を使わないことにより、突き出しピンの外径管理の難しさ・戻り不良・流体の洩れを改善し得る射出成形用金型の突き出し機構を提供する。【解決手段】突き出しピン３の成形品１とは逆側のつば部に永久磁石１６を設置し、ベースプレート７内部における突き出しピン３に対応する場所それぞれに電磁石１７を設置すると共に、ベースプレート７には、電磁石１７とコントローラ１９をつなぐことのできるように配線用の溝１８を形成し、更に、コア２の空間１０に、突き出しピン３のつば部としての永久磁石１６に一端が当接して突き出しピン３を逆に戻すためのスプリング１１を設置する。【選択図】　　　　図１
2004106354.tif 000002
【特許請求の範囲】
【請求項１】
突き出しピンをコアから突き出して成形品を離型させる射出成形用金型の突き出し機構において、上記コア内に突き出しピンを収納する空間を設けると共に、上記突き出しピンに磁石を設置し、上記射出成形用金型内に磁力発生装置を設置し、金型外部に磁力発生装置に電流を供給するコントローラを配置し、磁力発生装置に電流を印加することにより磁力を発生させ、上記突き出しピンを駆動する手段を備えていることを特徴とする射出成形用金型の突き出し機構。
【請求項２】
上記空間内部に突き出しピンを突き出し方向とは逆方向に戻すよう付勢するスプリングを設けてなる請求項１記載の射出成形用金型の突き出し機構。
【請求項３】
上記金型外部に配置したコントローラに突き出しピンの突き出し時に印加する電流方向と逆向きに電流を印加する機能を付加し、突き出しピンを突き出し方向だけではなく、戻す方向に付勢可能とした請求項１又は２記載の射出成形用金型の突き出し機構。
【請求項４】
金型における突き出しピンの突き出し方向側の空間部に更に磁力発生装置を配置し、突き出し動作を行う磁力発生装置と逆の動作を行わせるようコントロールすることにより、更に強い突き出し力を得るよう構成した請求項１〜３のいずれかに記載の射出成形用金型の突き出し機構。
【発明の詳細な説明】
【０００１】
【発明の属する技術分野】
本発明は、プラスチック等の射出成形品に用いられる射出成形用金型の突き出し機構に関するものである。
【０００２】
【従来の技術】
一般に、従来の射出成形用金型の突き出し機構においては、突き出しピンが組み込まれたプレートを成形機側の突き出しロッドで押し出す機構が主流となっている。
【０００３】
図４は従来の射出成形用金型の突き出し機構を示したものであって、図４中、１は成形品、２はコア、３は突き出しピン、４は上エジェクタープレート、５は下エジェクタープレート、６は台座、７はベースプレート、８はテーブル、９はエジェクターロッドである。従来の射出成形用金型の突き出し機構では、成形機側に内蔵されているエジェクターロッド９が金型開放後に前進し、上エジェクタープレート４と下エジェクタープレート５を突き出し、その動きに伴い、上エジェクタープレート４と下エジェクタープレート５に取り付けられている突き出しピン３が前進し、成形品１を突き出すようにしている。
【０００４】
一方、図５は既に出願されている流体による突き出し機構を示したものである。この機構では、図４に示されるエジェクターロッド９、並びに上エジェクタープレート４と下エジェクタープレート５の代わりに、加圧流体が供給される流路１２、１３をベースプレート７に形成し、更に、コア２内に突き出しピン３を収納する空間１０を設け、上記コア２のベースプレート７との接合部には、流体の漏れを防ぐためのＯリング１４、１５を設けており、成形品１の突き出し時には、加圧流体を流路１３を介して流路１２へ供給することにより、突き出しピン３が前進し、成形品１を突き出すようにしている。尚、図５中、１１は突き出しピン３を突き出し前の位置に戻すためのスプリングである。
【０００５】
【発明が解決しようとする課題】
しかしながら、前述の如く、突き出しピン３の駆動力として流体による圧力印加を行うのでは、流体の漏れ防止用のＯリング１４、１５を設けなければならず、それにより金型製作時の突き出しピン３の外径管理が難しくなったり、Ｏリング１４の抵抗による突き出しピン３の戻り不良が生じたり、又、Ｏリング１５のシール不完全による流体の洩れなどが発生したりする虞があった。
【０００６】
そこで本発明は、斯かる実情に鑑み、突き出しピンの駆動力として磁力を使い、流体を使わないことにより、突き出しピンの外径管理の難しさ・戻り不良・流体の洩れを改善し得る射出成形用金型の突き出し機構を提供しようとするものである。
【０００７】
【課題を解決するための手段】
上記課題を解決するために、請求項１記載の発明では、突き出しピンをコアから突き出して成形品を離型させる射出成形用金型の突き出し機構において、上記コア内に突き出しピンを収納する空間を設けると共に、上記突き出しピンに磁石を設置し、上記射出成形用金型内に磁力発生装置を設置し、金型外部に磁力発生装置に電流を供給するコントローラを配置し、磁力発生装置に電流を印加することにより磁力を発生させ、上記突き出しピンを駆動する手段を備えている射出成形用金型の突き出し機構を最も主要な特徴とする。
【０００８】
請求項２記載の発明では、上記空間内部に突き出しピンを突き出し方向とは逆方向に戻すよう付勢するスプリングを設けてなる請求項１記載の射出成形用金型の突き出し機構を主要な特徴とする。
【０００９】
請求項３記載の発明では、上記金型外部に配置したコントローラに突き出しピンの突き出し時に印加する電流方向と逆向きに電流を印加する機能を付加し、突き出しピンを突き出し方向だけではなく、戻す方向に付勢可能とした請求項１又は２記載の射出成形用金型の突き出し機構を主要な特徴とする。
【００１０】
請求項４記載の発明では、金型における突き出しピンの突き出し方向側の空間部に更に磁力発生装置を配置し、突き出し動作を行う磁力発生装置と逆の動作を行わせるようコントロールすることにより、更に強い突き出し力を得るよう構成した請求項１〜３のいずれかに記載の射出成形用金型の突き出し機構を主要な特徴とする。
【００１１】
【発明の実施の形態】
以下、本発明の実施の形態を図示例と共に説明する。図１及び図２は本発明を実施する形態の一例であって、図中、図５と同一の符号を付した部分は同一物を表わしており、基本的な構成は図５に示す従来のものと同様であるが、本図示例の特徴とするところは、図１及び図２に示す如く、突き出しピン３を駆動するシステムを、流体の代りに磁力により駆動させるシステムに変更した点にある。
【００１２】
本図示例の場合、突き出しピン３の成形品１とは逆側のつば部に永久磁石１６を設置し、ベースプレート７内部における上記突き出しピン３に対応する場所それぞれに、電流により磁力の発生できるコイル磁石等の電磁石１７を設置すると共に、ベースプレート７には、電磁石１７とコントローラ１９をつなぐことのできるように配線用の溝１８を形成し、更に、コア２の空間１０に、突き出しピン３のつば部としての永久磁石１６に一端が当接して突き出しピン３を逆に戻すためのスプリング１１を設置するようにしてある。
【００１３】
これにより、成形品１の成形加工時、金型が開き突き出し工程になったときには、コントローラ１９から電磁石１７に電流が流れることにより、図２に示す如く、電磁石１７と永久磁石１６との間に反発力２０が発生し、突き出しピン３が前方（図では上方向）へ動き、成形品１を突き出すことができる。
【００１４】
こうして、突き出しピン３の駆動力として磁力を使い、流体を使わないことにより、突き出しピン３の外径管理の難しさ・戻り不良・流体の洩れを改善し得る。
【００１５】
又、図３は本発明を実施する形態の他の例であって、コア２の空間１０内における電磁石１７と反対側の位置に、更に一つの電磁石２１を配置し、該電磁石２１を先に述べた電磁石１７と完全に逆の磁界が発生するようにコントロール可能としたものである。
【００１６】
図３に示す例においては、電磁石１７が永久磁石１６に対して反発力を発生させるのと同時に、電磁石２１には永久磁石１６と吸引力が発生する形となるため、より強い確実な突き出しを行うことができる。
【００１７】
尚、本発明の射出成形用金型の突き出し機構は、上述の図示例にのみ限定されるものではなく、本発明の要旨を逸脱しない範囲内において種々変更を加え得ることは勿論である。
【００１８】
【発明の効果】
以上、説明したように本発明の請求項１〜４記載の射出成形用金型の突き出し機構によれば、下記のような優れた効果を奏し得る。
【００１９】
本発明の請求項１記載の射出成形用金型の突き出し機構によれば、従来のように流体を使わないため、流体が洩れる等の心配がなく、Ｏリング等を設置しなくて済み、そこに摩擦抵抗も発生しない。そのため外径管理が非常に簡単になる。又、摩擦抵抗による突き出しピンのもどり不良も発生しない。更に流体自身を使用しないため洩れの心配もない。
【００２０】
本発明の請求項２記載の射出成形用金型の突き出し機構によれば、空間にスプリングを設置することにより突き出しピンが成形品を突き出したあと、コントローラから電流が切れた時にそのスプリングの圧力により速やかに突き出しピンを突き出し前の位置に戻すことができる。
【００２１】
本発明の請求項３記載の射出成形用金型の突き出し機構によれば、コントローラに印加する電流の向きを変える機構をつけておくことで、突き出し終了時その電流の向きを逆にすることで、今まで反発力であった力が反対の吸引力になり、永久磁石と引き合うことにより、　速やかに突き出しピンを突き出し前の位置に戻すことができる。
【００２２】
本発明の請求項４記載の射出成形用金型の突き出し機構によれば、突き出し動作を行う磁力発生装置と逆の動作を行う磁力発生装置により、より強い確実な突き出しを行うことができる。
【図面の簡単な説明】
【図１】本発明を実施する形態の一例の断面図である。
【図２】本発明を実施する形態の一例において突き出し時の状態を示す断面図である。
【図３】本発明を実施する形態の他の例の断面図である。
【図４】従来の射出成形用金型の突き出し機構を示す断面図である。
【図５】流体による突き出し機構を示す断面図である。
【符号の説明】
１　　成形品
２　　コア
３　　突き出しピン
４　　上エジェクタープレート
５　　下エジェクタープレート
７　　ベースプレート
９　　エジェクターロッド
１０　　空間
１１　　スプリング
１６　　永久磁石
１７　　電磁石
１８　　溝
１９　　コントローラ
２０　　反発力
２１　　電磁石
【図１】
2004106354.tif 000003
【図２】
2004106354.tif 000004
【図３】
2004106354.tif 000005
【図４】
2004106354.tif 000006
【図５】
2004106354.tif 000007